(57)【特許請求の範囲】
【請求項１】
一端に真空採血管挿入用の開口部を有し、他端に採血針固定機構を有する筒状の真空採血用ホルダーであって、
上記ホルダー本体に、該本体の採血針固定側の端面、及びこれに続く側面にかけて切り欠き窓が設けられ、
該端面には、ホルダー中心軸に直交する面内を前後に摺動可能な中子を内蔵するガイド枠が載置されており、
該中子は、ピンセット構造を有しており、該中子がガイド枠内壁面に接触しつつ、前後に摺動することにより、その可動端部が左右に開閉して、採血針の針基をくわえ込み固定又は離脱させる構造を有するものであることを特徴とする真空採血用ホルダー。
【請求項２】
請求項１記載の真空採血用ホルダーに採血針を固定するにあたり、該ホルダー本体の中心軸に平行に採血針を保持しつつ、前記切り欠き窓を通して、採血針を該ホルダー側面から該ホルダー中心軸近傍まで平行移動させることにより、該中子の可動端部をガイド枠内壁面に接触せしめつつ摺動後退せしめ、該可動端部に採血針の針基をくわえ込み固定させ、また逆の手順により離脱させることを特徴とする採血針の固定離脱方法。
【発明の詳細な説明】
【０００１】
【発明の属する技術分野】
本発明は血液を検体とする臨床検査において、採血のための所謂真空採血システムに用いられる真空採血用ホルダー及び該ホルダーを用いた採血針の固定離脱方法に関する。
【０００２】
【従来の技術】
典型的な真空採血システムは、例えば、特開昭６２−２２７３１６号公報に記載されているように、システムの基本的構成は、図２０〜２２に示す通り、
▲１▼有底の管状容器の開放端を針穴シール性、且つガスバリヤー性を備えた栓体１１０で気密に封止し、内部を減圧に保った真空採血管１００、
▲２▼一本の中空の金属製細管からなり、両末端に針先２１０、２２０を有し、ほぼ中間部に雄ネジが切られた針基２３０を有する真空採血針２００（なお、針先２２０側の針管は、採血時に真空採血管１００の栓体１１０刺通側となるが、真空採血管１００を取り替えて連続して採血する際に、取り替え時に血液がこぼれ落ちるのを防止するために、該針管には伸縮自在のゴム製の鞘管２４０が被されている）、
▲３▼採血針をネジ止め固定するために雌ネジが切られた固定孔３１０を有し、真空採血管１００を内腔３２０に保持する真空採血用ホルダー３００、
からなっている。
【０００３】
採血にあたっては、採血針の針基２３０をホルダー３００の固定孔３１０にネジ止めする。採血者は、図２３に示すように、採血針／ホルダー組み立て体の全体を被採血者の血管軸に沿った方向に寝かせるように手に保持し、血管刺通側の針先２１０を血管に刺通する。ついで、ホルダー３００に真空採血管１００を挿入し、栓体刺通側の針先２２０で栓体１１０を貫通せしめると、真空採血管１００内部が減圧になっているために血液が吸引されるようになっている。
【０００４】
ところで、本システムを用いて採血する時に問題となっているのは、採血終了後に採血針をホルダーから取り外すに先立ち、採血針にカバーキャップをはめようとして手先が狂い、かなりの頻度で指先を刺してしまう事故が起きることである。
【０００５】
この問題を解決する手段として提案されてきたもののうちの一つは、採血針のカバーキャップ全体を大型化したり、又は、登録実用新案公報第３０１７２７３号に示されるようなキャップ開口部分のみをラッパ状に拡大したりすることであった。しかし、キャッピング操作が本質的に指先を採血針の針先に近づける動作である以上、いかにキャップを大型化しようが、手先が滑って事故になる可能性は消えない上に、包装箱が大型化し、嵩張るという問題も出てくる。一方、特開平５−２６９１７４号公報には、カバーキャップなどせずに自動的に脱針するための専用の針外し装置が提案されている。本装置は、ねじ外し操作を自動で行うものであり、確かに安全性は格段に向上するが、装置価格が高価である上に、メンテナンスの負担がある。また、ねじ外し機構が手動のものもあるが、専用装置を用意する負担に変わりはない。
【０００６】
【発明が解決しようとする課題】
本発明は、上記問題点を解決するものであり、その目的は、採血終了後に採血針をホルダーから外すときに針先に手指を近づける動作が必要なく、針刺し事故を大幅に軽減することができると共に、針はずしのための専用の装置を必要としない真空採血用ホルダー及び該ホルダーを用いた採血針の固定離脱方法を提供することにある。
【０００７】
【課題を解決するための手段】
本発明の真空採血用ホルダーは、一端に真空採血管挿入用の開口部を有し、他端に採血針固定機構を有する筒状の真空採血用ホルダーであって、上記ホルダー本体に、該本体の採血針固定側の端面、及びこれに続く側面にかけて切り欠き窓が設けられ、該端面には、ホルダー中心軸に直交する面内を前後に摺動可能な中子を内蔵するガイド枠が載置されており、該中子は、ピンセット構造を有しており、該中子がガイド枠内壁面に接触しつつ、前後に摺動することにより、その可動端部が左右に開閉して、採血針の針基をくわえ込み固定又は離脱させる構造を有するものであることを特徴とする。
【０００８】
本発明の採血針の固定離脱方法は、請求項１記載の真空採血用ホルダーに採血針を固定するにあたり、該ホルダー本体の中心軸に平行に採血針を保持しつつ、前記切り欠き窓を通して、採血針を該ホルダー側面から該ホルダー中心軸近傍まで平行移動させることにより、該中子の可動端部をガイド枠内壁面に接触せしめつつ摺動後退せしめ、該可動端部に採血針の針基をくわえ込み固定させ、また逆の手順により離脱させることを特徴とする。
【０００９】
本発明のホルダーで固定可能な採血針としては、従来のいずれのタイプのものも適用可能であり、例えば、図１（イ）に示した採血針４のような針基４１にネジが切られていない、所謂ワンタッチタイプといわれるもの、図１（ロ）に示した採血針５のような雄ネジが切られている針基５１を有するものなどが挙げられる。なお、採血針４の針基４１は、フランジ４１ａ、フランジ４１ｃに挟まれた縮径部４１ｂを有する構成とされており、採血針５の針基５１は、フランジ５１ａと、雄ネジ部５１ｂを有する構成とされている。
【００１０】
【作用】
本発明の真空採血用ホルダーは、ガイド枠内壁面を摺動する中子が採血針の針基をくわえ込み固定する構造である。採血針の固定にあたっては、採血針の中心軸をホルダーの中心軸と平行に保持したまま、ホルダー側壁の切り欠き窓を通して、採血針を横滑りにホルダー内部に導入する。この時、中子の可動端部に採血針の針基をあてがい、ホルダー中心軸近傍まで押し付けるようにすると、可動端部が閉じて針基を締めつけるために採血針を固定することができる。引き続く真空採血手順自体は、従来公知の手順に従えばよい。
【００１１】
一方、採血針を離脱させるときは、中子可動端部の反対側を押し出せば、固定とは逆の道筋を通って、採血針は排出されるので、排出された採血針を金属製の空缶等に受ければよい。従って、採血針の離脱時には、採血針にカバーキャップをはめる必要がない、すなわち、採血針の針先方向に手指を持っていく動作がないので、針刺し事故を防止することができる。
【００１２】
本発明の採血針の固定離脱方法は、請求項１記載の真空採血用ホルダーに採血針を固定するにあたり、該ホルダー本体の中心軸に平行に採血針を保持しつつ、該ホルダー本体の切り欠き窓を通して、採血針を該ホルダー側面から該ホルダー中心軸近傍まで平行移動させることにより、該中子の可動端部をガイド枠内壁面に接触せしめつつ摺動後退せしめ、該可動端部に採血針の針基をくわえ込み固定させ、また逆の手順により離脱させるので、採血針の離脱時には、採血針にカバーキャップをはめる必要がない、すなわち、採血針の針先方向に手指を持っていく動作がないので、針刺し事故を防止することができる。
【００１３】
【発明の実施の形態】
以下、本発明を図面に基づいて説明する。
図２は、本発明の真空採血用ホルダーの一例を示す斜視図である。本発明の真空採血用ホルダーは、ホルダー本体１と、ホルダー本体１の一端面に載置されたガイド枠２と、該ガイド枠２に内蔵された中子３とからなる。
【００１４】
図３は、上記ホルダー本体１を示す斜視図である。ホルダー本体１は、一端が開放され、他端が閉塞された円筒体からなり、開放端側は真空採血管が挿入される側となり、その一端部の開口部１１側には、真空採血時にホルダー本体１を掴み易くするために、従来の真空採血用ホルダーと同様に、円形のフランジの円周の一部が平行にカットされて、略楕円形の構造とされたフランジ状の鍔部１２が設けられている。また、閉塞端側は採血針固定側となり、その端面１３、及びこれに続く側面１４にかけて切り欠き窓１５が設けられている。切り欠き窓１５は、端面１３の略中央部１６から始まり、側面１４に連なる。切り欠き窓１５は、この真空採血用ホルダーの使用時に採血針を装着又は離脱させる際に、この切り欠き窓１５を通して採血針が出入りするので、その開口幅は、採血針の栓体刺通側針管の外径以上であればよく（栓体刺通側針管に鞘管を被せる場合は、その鞘管の外径以上であればよい）、ホルダー本体１の側面１４での切り欠き窓１５の長さは、採血針の栓体刺通側針管の長さ以上であればよい（栓体刺通側針管に鞘管を被せる場合は、その鞘管を含めた栓体刺通側針管の長さ以上であればよい）。切り欠き窓１５の切り欠き方向は、特に限定されない。また、端面１３の切り欠き窓１５の左右には、ガイド枠を取り付け固定するための取付穴１７が開けられている。
【００１５】
図４〜７は、ガイド枠２を示す図であり、図４はその平面図、図５は図２における矢印（イ）方向から見たその正面図、図６は図２における矢印（ロ）方向からみた図、図７はその側面図である。ガイド枠２は、幅に比較して高さの低い、中空の四角柱の２つの側面だけが対向して欠けている形状の箱体が、その側面の欠けている側の一方から図４に示すようにＵ字型に切り欠かれた構造をしている。ガイド枠２は、天板２１、底板２２及び左右の側壁２３、２３とからなるが、ガイド枠２は正面からみるとその開口部２４の端面２４１は断面コの字状となっている。ガイド枠２の側壁２３はその内壁面２３１に段差２３２、２３３及び２３４が設けられており、側壁２３の厚みはガイド枠２の入口側から奥側に向かって段階的に厚くされている。内壁面２３１に、このように段差を設けることにより採血針の締めつけ固定力を段階的に強化できるので有利であるが、この段差を設けることは必ずしも必要なことではない。また、ガイド枠２の底板２２には、ホルダー本体１の取付穴１７にガイド枠２を取り付けるための取付爪２５が２ケ設けられている。
【００１６】
図８〜１０は、中子３を示す図であり、図８はその平面図、図９はその右側面図、図１０はその正面図である。中子３はピンセット構造を有しており、ピンセット構造の支点となる基部３１に腕部３２、３３が取りつけられ、その腕部３２、３３の先に、それぞれ可動翼取り付け部３２１と３３１を介して、それぞれ可動翼３４と３５が設けられ、可動翼３４と３５とから可動端部３６が構成される。可動翼３４は、重なり予定部３４１とその先に取り付けられたつかみ部３４２及びガイド枠接触部３４３とからなり、可動翼３５は、重なり予定部３５１とその先に取り付けられたつかみ部３５２及びガイド枠接触部３５３とからなっている。さらに、可動翼３４と３５には、それぞれストッパー３４４及び３５４が設けられている。また、重なり予定部３４１と重なり予定部３５１には、必要に応じてそれぞれ針基固定突起３４５及び３５５が設けられる。また、中子３の厚み方向の寸法は、固定しようとする採血針４（図１参照）の針基４１の縮径部４１ｂの針軸方向の長さ以下に設定されることが好ましい。
【００１７】
図１１は、図８のXI−XI線断面図のうちの、重なり予定部３４１と重なり予定部３５１近傍を示す図である。重なり予定部３４１と重なり予定部３５１はこのような構造とされているので、可動端部３６が図１１の矢印方向に閉じられたときには、重なり予定部３４１と重なり予定部３５１は互いが完全に重なるようにされている。
【００１８】
このような中子３は、ガイド枠２に内蔵され、ガイド枠２中を前後に摺動可能とされ、その前後の摺動により、その可動端部３６が左右に開閉して採血針の針基をくわえ込み固定させ、また離脱させる機能を有する。中子３による採血針の針基の固定に際して、中子３は、後述のように、ガイド枠２の奥に押し込められた状態とされ、その可動端部３６のつかみ部３４２の先端部とつかみ部３５２の先端部が接触されて採血針の針基をくわえ込んだ状態で採血針を固定し得るように構成されている（採血針の固定に際して、つかみ部３４２の先端部とつかみ部３５２の先端部の接触は、必須の要件ではなく、採血針を締めつけ固定さえできれば接触しなくてもよい）。
【００１９】
図１２は、ガイド枠２に内蔵された中子３の前後の摺動移動による、採血針の固定、離脱の機構を説明するための模式的な図である。図１２（イ）〜（ハ）は、ガイド枠２の天板２１を取り外した状態で、ホルダー本体１に取り付けられたガイド枠２及び内蔵された中子３の状態をみた平面図であり、また、中子３は左半分（換言すれば、一方の腕部３２及び可動翼３４を含む部分）の平面図のみを示し、右半分（換言すれば、一方の腕部３３及び可動翼３５を含む部分）の平面図は、各図中に示した中心線に対して左半分の平面図と左右対象の関係になるのでその記載は省略してある。
【００２０】
まず、採血針の固定の機構を説明する。
図１２（イ）は、中子３の可動翼３４が開いた状態を示す図であり、まさに採血針の針基４１が重なり予定部分３４１に接触したところを示している。この状態で該針基４１をガイド枠２の内部側に押し込んでいくと、図１２（ロ）に示すように、可動翼３４のガイド枠接触部３４３がガイド枠２の内壁面２３１に接触しつつ摺動移動され、可動翼３４が閉じられていく。ガイド枠接触部３４３が内壁面の段差２３２にあたり、さらに内部に押し込まれると、より一層可動翼３４が閉じられていく。そして、ガイド枠接触部３４３がさらに押し込まれ、図１２（ハ）に示すように、可動翼のストッパー３４４がガイド枠の段差２３４に達すると、中子３の移動が停止する。この状態で可動翼３４は完全に閉じられ、可動翼３４のつかみ部３４２は、図示しない他方のつかみ部３５２に接触して、採血針の針基４１が可動端部に固定される。なお、この状態では、重なり予定部３４１は、図示しない他方の重なり予定部３５１に完全に重なる。なお、この実施例では、つかみ部３４２が、他方のつかみ部３５２に接触して、採血針の針基４１を固定する場合を示しているが、前述のように、この接触は必ずしも必要なことではない。
【００２１】
なお、この時、採血針が雄ネジが切られていない針基４１を有する採血針４の場合は、つかみ部３４２、３５２が針基４１の縮径部４１ｂにはまり込むために採血針の軸方向にすっぽ抜けることなくしっかりと固定されるが、採血針として図１（ロ）に示した採血針５のような雄ネジが切られている針基５１を有するものを固定する場合は、ガイド枠接触部３４３が十分に内部まで押し込まれ、つかみ部３４２と３５２が雄ネジ部５１ｂをくわえ込み固定しても、雄ネジ部５１ｂは一端にフランジ５１ａを持つのみで他端はフランジをもたないため引っかかリがなく、採血針５の軸方向のすっぽ抜けを防止できない。そこでこの場合は、重なり予定部３４１と重なり予定部３５１に、それぞれ前述の針基固定突起３４５及び３５５を設けておき、重なり予定部３４１と重なり予定部３５１が重なったときに、該突起３４５及び３５５がネジの谷部に入りこむようにするのが好ましい。
【００２２】
次に、採血針の離脱の機構を説明する。
採血針の離脱に際しては、中子の基部３１をガイド枠２の方向に押し出すことにより、採血針の固定の機構と逆の道筋を通って、採血針は排出される。
【００２３】
本発明の真空採血用ホルダーを製造するには、ホルダー本体１、ガイド枠２、中子３ともに構成材料は特に限定されず、熱可塑性樹脂、熱硬化性樹脂、金属等が適宜用いられる。また、成形方法も射出、押し出し、切削等の従来公知の方法が適宜用いられる。しかしながら、製造の容易さから、熱可塑性樹脂を用いた射出成形が好適に用いられる。このようにして、製造されたホルダー本体１、ガイド枠２、中子３から、本発明のホルダーを組み立てるには、例えば、中子３の可動端部３６を閉じた状態にしておき、これをガイド枠２の後方の開口部から、ガイド枠２内に押し込んで、中子３を内蔵するガイド枠２を組み立てる。次に、ホルダー本体１の取付穴１７に、ガイド枠２の取付爪２５を差し込むことにより、ホルダー本体１にガイド枠２が載置されて本発明のホルダーが得られる。
【００２４】
次に、本発明のホルダーを用いて採血する手順を説明する。
採血針を固定するには、図１３に示すように、採血針４または５の中心軸をホルダー本体１の中心軸と平行に保持しつつ、ホルダー本体１の側壁に設けられた切り欠き窓１５を通して、採血針４または５をホルダー本体１側面から横滑りにホルダー本体１内部に導入する。この時、中子３の可動端部３６に採血針４または５の針基４１の縮径部４１ｂまたは針基５１の雄ネジ部５１ｂをあてがい、ホルダー本体１中心軸近傍まで押し付けるようにすると、中子３の可動端部３６がガイド枠２内壁面に接触しつつ摺動後退し、縮径部４１ｂまたは雄ネジ部５１ｂを締めつけるために採血針４または５をくわえ込み固定することができる。このように採血針が固定された本発明のホルダーを用いて採血するには、従来公知の手順に従えばよい。
【００２５】
採血終了後、採血針４または５を離脱させるときは、中子３の基部３１をガイド枠２方向に押し出すことにより、固定とは逆の道筋を通って、採血針４または５は排出されるので、排出された採血針を金属製の空缶等に受ければよい。
【００２６】
図１４は、本発明の真空採血用ホルダーの他の例を示す斜視図である。この真空採血用ホルダーは、ガイド枠として図２実施例のガイド枠２に屋根構造２６が付加されている形状のガイド枠２０が用いられることの他は、図２実施例の真空採血用ホルダーと同様である。従って、図２実施例と同一の部分は、同一の参照番号を付することによりその説明を省略する。
【００２７】
図１５〜１７は、ガイド枠２０を説明するための図であり、図１５はその正面図、図１６はその側面図、図１７はその平面図である。ガイド枠２０は、図２実施例のガイド枠の天板２１の上に、底面の欠けた断面凸状の屋根構造２６が、天板２１の中央部近傍から後部にかけて設けられた形状をしている。屋根構造２６の天板２７の正面中央部には、採血針の血管刺通部側の部分を受けるための切り込み２７ａが設けられている。屋根構造２６の高さの範囲は、採血針が本発明のホルダーに装着されたとき、採血針の針基の部分が屋根構造２６内部に収納されるような高さ以上であるとともに、採血針の血管刺通部側の針管が屋根構造２６の天板２７にあたる高さ以内とされる。
【００２８】
ガイド枠２０の製造方法は、先の実施例で説明した方法と同様にすればよい。
【００２９】
ガイド枠２０が用いられた本発明のホルダーの使用方法を説明する。前述の方法で、ガイド枠２０に中子３を内蔵しホルダー本体１に取り付けてホルダーを組み立てた後、先の実施例と同様にして図１４に示したようにしてホルダー本体１に採血針４（又は５）の針基４１の縮径部４１ｂ（又は針基５１の雄ネジ部５１ｂ）を固定すると、図１８に示したように、採血針４の針基４１の部分が屋根構造２６の内部に引き込まれることにより、採血針４の血管刺通側針管４２が、屋根構造２６の天板２７の切り込み２７ａにあたり、矢印の方向に力が加わり曲げられる。血管刺通側針管４２の折れ曲がり角は、中子の引き込み距離と屋根構造の高さで決まるが、血管刺通側針管４２と栓体刺通側針管４３のなす内角が１０〜１７０度となるように設定するのが好ましい。
【００３０】
このように採血針が曲げられて固定された本発明のホルダーを用いて採血するには、図１９に示すように、採血針４の血管刺通側針管４２を血管６に沿わせた方向に刺入するために、ホルダー本体１を立てた状態で手に保持する。このような採血姿勢を取ることにより、ホルダー本体１の外径の大きさに左右されることなく、血管刺通角度（血管６と採血針４との間のなす角度）を非常に小さくできる。その上、血管刺通後にホルダー本体１に真空採血管７を挿入するときには、その挿入方向が必然的に血管刺通方向とは異なるために、採血者にとって、栓体刺通側の針管を栓体に貫通させる時の勢いで、針先が血管内にさらに押し込まれるのを防ぐための緊張感からも開放される。さらに、採血中の真空採血管７は、ほとんど倒立状態になっているため、血液の流入がまだ続いているのか、既に終わったのかが、液面の上昇の様子から非常に分かり易くなる。
【００３１】
また、採血終了後、採血針４を離脱させるときは、先の実施例と同様に行えばよい。
【００３２】
本発明の真空採血用ホルダーは、図１９及び図２０に示したような典型的な栓体構造を有する真空採血管以外にも、シート形状の栓体を有する真空採血管であっても、何等支障なく適用できる。
【００３３】
【発明の効果】
本発明の真空採血用ホルダーの構成は上記の通りであり、採血終了後に採血針をホルダーから外すときに針先に手指を近づける動作が必要なく、針刺し事故を大幅に軽減することができると共に、針はずしのための専用の装置を必要としない。
さらに、ガイド枠として屋根構造を有する真空採血用ホルダーの場合は、上記の効果の他に、採血針の固定と同時に採血針の血管刺通側の針管を屈曲せしめることができるので、ホルダーを倒立させた状態で、血管への採血針の刺通が低角度で無理なく容易に行えるために、採血者のみならず、被採血者の心理的緊張を著しく軽減し、内出血などの採血事故を減少せしめ、そのことによって、真空採血の普及自体にも一層拍車がかかるものと期待される。
【００３４】
本発明の採血針の固定離脱方法の構成は上記の通りであり、本発明の採血針の固定離脱方法によると、採血終了後に採血針をホルダーから外すときに針先に手指を近づける動作が必要なく、針刺し事故を大幅に軽減することができると共に、針はずしのための専用の装置を必要としない。
【図面の簡単な説明】
【図１】図１は、採血針を示すものであり、図１（イ）はワンタッチタイプといわれる採血針、図１（ロ）は、雄ネジが切られたタイプの採血針である。
【図２】本発明の真空採血用ホルダーの一例を示す斜視図である。
【図３】ホルダー本体を示す斜視図である。
【図４】ガイド枠の平面図である。
【図５】図２における矢印（イ）方向からみたガイド枠の正面図である。
【図６】図２における矢印（ロ）方向からみたガイド枠の図である。
【図７】ガイド枠の側面図である。
【図８】中子の平面図である。
【図９】中子の右側面図である。
【図１０】中子の正面図である。
【図１１】図８のXI−XI線断面図のうちの、重なり予定部３４１と重なり予定部３５１近傍を示す図である。
【図１２】図１２は、ガイド枠に内蔵された中子の前後の摺動移動による、採血針の固定、離脱の機構を説明するための模式的な平面図であり、図１２（イ）は、中子３の可動翼３４が開いた状態を示す図、図１２（ロ）は、可動翼３４のガイド枠接触部３４３が摺動移動される様子を示す図、図１２（ハ）は、可動翼のストッパー３４４がガイド枠の段差２３４に達して中子３の移動が停止し、採血針の針基４１が可動端部に固定される様子を示す図である。
【図１３】本発明のホルダーを用いて採血針を固定する様子を説明するための説明図である。
【図１４】本発明の真空採血用ホルダーの他の例を示す斜視図である。
【図１５】ガイド枠２０の正面図である。
【図１６】ガイド枠２０の側面図である。
【図１７】ガイド枠２０の平面図である。
【図１８】採血針の血管刺通側針管が、矢印の方向に曲げられる様子を説明する説明図である。
【図１９】本発明の他の例の真空採血用ホルダーを用いて採血する様子を示す説明図である。
【図２０】真空採血管を示す断面図である。
【図２１】真空採血針を示す側面図である。
【図２２】従来の真空採血用ホルダーを示す断面図である。
【図２３】従来の真空採血用ホルダーを用いて採血する様子を示す説明図である。
【符号の説明】
１  ホルダー本体
２、２０  ガイド枠
３  中子
４、５  採血針
６  血管
７  真空採血管
１１  開口部
１３  端面
１４  側面
１５  切り欠き窓
１７  取付穴
２５  取付爪
２６  屋根構造
２７  天板
２７ａ  切り込み
３１  基部
３２、３３  腕部
３４、３５  可動翼
３６  可動端部
４１、５１  針基
４１ｂ  縮径部
４２  血管刺通側針管
５１ｂ  雄ネジ部
２３１  内壁面
３４１、３５１  重なり予定部
３４２、３５２  つかみ部
３４３、３５３  ガイド枠接触部
３４４、３５４  ストッパー
【図１】
0003652019.tif 000002
【図２】
0003652019.tif 000003
【図３】
0003652019.tif 000004
【図４】
0003652019.tif 000005
【図５】
0003652019.tif 000006
【図６】
0003652019.tif 000007
【図７】
0003652019.tif 000008
【図８】
0003652019.tif 000009
【図９】
0003652019.tif 000010
【図１０】
0003652019.tif 000011
【図１１】
0003652019.tif 000012
【図１２】
0003652019.tif 000013
【図１３】
0003652019.tif 000014
【図１４】
0003652019.tif 000015
【図１５】
0003652019.tif 000016
【図１６】
0003652019.tif 000017
【図１７】
0003652019.tif 000018
【図１８】
0003652019.tif 000019
【図１９】
0003652019.tif 000020
【図２０】
0003652019.tif 000021
【図２１】
0003652019.tif 000022
【図２２】
0003652019.tif 000023
【図２３】
0003652019.tif 000024